(57)【要約】【課題】映像媒体の受け渡しにより画像プリントの注文を行う。【解決手段】映像が記録されたＤＶＤ１５に、注文データ書き込み用のＩＣチップ１５ａを設ける。ＤＶＤプレイヤ５が映像を再生中に、気に入ったシーンでプリント注文キー２１ａを押して、プリント注文モードに入る。プリント注文モードでは、プリント対象画像を表示して、そのプリント枚数、プリントサイズ、プリント方式などを入力させる。入力された注文データはリーダライタ２７によりＩＣチップ１５ａに書き込まれる。プリント受注業者は、ＩＣチップ１５ａから注文データを読み取り、対応するプリント処理を行う。映像シーンのプリント注文を簡単に間違いなく行なうことができる。【選択図】　　　　図１
2004007067.tif 000002
【特許請求の範囲】
【請求項１】
映像中の画像コマを特定するためのコマ識別情報と、このコマ識別情報で特定された画像コマに関する注文情報とが書き込み可能な記憶媒体を有し、前記映像が記録されている映像媒体を再生し、　　　　　　　　　　　この再生中に、前記映像中の画像コマをコマ識別情報で特定し、このコマ識別情報で特定された画像コマに関する注文情報を入力し、
前記特定したコマ識別情報及び前記注文情報を前記記憶媒体に書き込むことを特徴とする注文方法。
【請求項２】
映像中の画像コマを特定するためのコマ識別情報と、このコマ識別情報で特定された画像コマに関する注文情報とが書き込み可能な記憶媒体を有し、前記映像が記録されている映像媒体を再生する手段と、　　　　　　　この再生中に、前記映像中の画像コマをコマ識別情報で特定し、このコマ識別情報で特定された画像コマに関する注文情報を入力する手段と、
前記特定したコマ識別情報及び前記注文情報を前記記憶媒体に書き込む手段とを有する映像再生装置。
【請求項３】
前記コマ識別情報で特定された画像コマに関する注文情報は、前記画像コマの画像データ、この画像データによるプリント、画像コマ中に現れている商品の少なくともいずれか１つを注文する情報であることを特徴とする請求項２記載の映像再生装置。
【請求項４】
映像中の画像コマを特定するためのコマ識別情報と、このコマ識別情報で特定された画像コマに関する注文情報とが書き込み可能な記憶媒体を有し、前記映像が記録されている映像媒体から、前記注文情報を読み取る手段を備えることを特徴とする注文受付装置。
【請求項５】
映像が記録されている映像媒体であって、
前記映像中の画像コマを特定するためのコマ識別情報と、このコマ識別情報で特定された画像コマに関する注文情報とが書き込み可能な記憶媒体を有することを特徴とする映像媒体。
【発明の詳細な説明】
【０００１】
【発明の属する技術分野】
本発明は、注文方法並びにこれに用いる映像再生装置、注文受付装置、映像媒体に関する。
【０００２】
【従来の技術】
近年、画像記録メディアとして画像をデジタルデータとして記録することができるＤＶＤが普及している。また、ＤＶＤ−ＲＷと呼ばれている書き込み可能なＤＶＤ装置も市販されている。ＤＶＤ等の記録メディアに記録された映像シーンをプリントする場合には、家庭用ビデオプリンタが用いられる。また、専門のプリント受注者によりプリントするシステムとして、本出願人から出願された特開平１０−１７１０２７号公報に記載されている画像プリント方法及びシステムでは、映像番組の各画像コマに対応し各画像コマを識別するためのコマ識別情報により、映像番組からプリント対象画像コマを特定し、このコマ識別情報とプリント注文情報とをプリント受注者に送る。プリント受注者は、コマ識別情報に基づきプリント対象画像コマを特定して、映像番組のオリジナルな画像データを得て、プリント注文情報に基づきプリントを行う。
【０００３】
【発明が解決しようとする課題】
しかしながら、家庭用ビデオプリンタでは、解像度が低く高品質のプリントが得られないという問題がある。また、プリントサイズも固定的であり、大きさはＡ４サイズ程度が限度である。しかも、ビデオプリンタにおける画像データの取り込み処理やデジタルデータへの変換等によって、画像品質が劣化するという問題がある。また、上記特開平１０−１７１０２７号公報に記載されている画像プリント方法及びシステムでは、ユーザーは、パソコン等を使ったインターネット通信を利用して、プリント受注者とデータの送信を行うものであり、自宅にパソコン等のインターネット通信設備がない場合には、このシステムを利用することができなかった。
【０００４】
また、画像のプリントの他に、映像中に現れる商品や場所に興味がゆくことがあり、例えば、映像に出てきた家具、車、洋服、装飾品、その他の備品などと同じものが欲しくなることがある。また、映像中に出てきた観光地や施設などにも行きたくなることがある。このような場合には、映像配信元などに問い合わせるか、映像中のシーンをプリントアウトし、このプリントに基づき該当する商品などを特定するかする必要があり、簡単には同一商品などを手に入れることができないという問題がある。
【０００５】
本発明は上記課題を解決するためのものであり、自宅にインターネット通信設備がない場合でも、ＤＶＤ等の記録メディアの映像シーンを大サイズで高品質にプリントすることができ、さらには、映像中に現れた商品や場所などに関する需要に簡単に応えることができるようにした注文方法並びにこれに用いる映像再生装置、注文受付装置、映像媒体を提供することを目的とする。
【０００６】
【課題を解決するための手段】
上記目的を達成するために、本発明の注文方法では、映像中の画像コマを特定するためのコマ識別情報と、このコマ識別情報で特定された画像コマに関する注文情報とが書き込み可能な記憶媒体を有し、前記映像が記録されている映像媒体を再生し、この再生中に、前記映像中の画像コマをコマ識別情報で特定し、このコマ識別情報で特定された画像コマに関する注文情報を入力し、前記特定したコマ識別情報及び前記注文情報を前記記憶媒体に書き込むことを特徴とする。
【０００７】
また、本発明の映像再生装置では、映像中の画像コマを特定するためのコマ識別情報と、このコマ識別情報で特定された画像コマに関する注文情報とが書き込み可能な記憶媒体を有し、前記映像が記録されている映像媒体を再生する手段と、この再生中に、前記映像中の画像コマをコマ識別情報で特定し、このコマ識別情報で特定された画像コマに関する注文情報を入力する手段と、前記特定したコマ識別情報及び前記注文情報を前記記憶媒体に書き込む手段とを有することを特徴とする。なお、前記コマ識別情報で特定された画像コマに関する注文情報は、前記画像コマの画像データ、この画像データによるプリント、画像コマ中に現れている商品の少なくともいずれか１つを注文する情報であることが好ましい。また、画像データによるプリントであって、大サイズの場合には、コマ識別情報に基づきオリジナル画像データを特定し、このオリジナル画像データに基づきプリントすることが好ましい。
【０００８】
本発明の注文受付装置では、映像中の画像コマを特定するためのコマ識別情報と、このコマ識別情報で特定された画像コマに関する注文情報とが書き込み可能な記憶媒体を有し、前記映像が記録されている映像媒体から、前記注文情報を読み取る手段を備えることを特徴とする。
【０００９】
本発明の映像媒体では、映像が記録されている映像媒体であって、前記映像中の画像コマを特定するためのコマ識別情報と、このコマ識別情報で特定された画像コマに関する注文情報とが書き込み可能な記憶媒体を有することを特徴とする。前記記憶媒体は、前記映像媒体に設けた非接触型のＩＣチップ、または映像媒体に設けたＲＡＭ領域から構成することが好ましい。
【００１０】
【発明の実施の形態】
図１は本発明の注文方法を実施したシステム２を示す概略図である。このシステム２は、ユーザー４に設置されるＤＶＤプレイヤ５と、ＤＶＤレンタル業者６などに設置される注文受付機７及びプリンタ８，９，１０、１１と、ＤＶＤ製作業者または画像管理機構１２に設置される画像サーバ１３とから構成される。
【００１１】
本発明のＤＶＤ１５には、その記録エリアにタイトルデータ、映像データなどが記録されている他に、ＩＣチップ１５ａが埋め込まれている。このＩＣチップ１５ａに注文情報が書き込み可能になっている。本実施形態では、非接触の磁気結合方式を採用しており、ＩＣチップ１５ａはチップ本体の他にデータの送受と電源供給とを行なうためのシートコイルとを備えている。なお、非接触式の磁気結合方式の他に、接触方式やその他の方式で、読取装置に接続してもよい。また、前記映像データには、各画像コマを識別するためのコマ識別データも含まれている。
【００１２】
図２に示すように、ＤＶＤプレイヤ５は、再生機能や、一時停止機能、早送り機能、早戻し機能を備える他に、前記ＩＣチップ１５ａへの注文情報の書き込み、読み出し機能を有する。また、各種操作を行なうためのリモコン２１も有する。このため、読取ヘッド２２、再生部２３、プリント対象コマ特定部２４、データ受信部２５、注文データ作成部２６、リーダライタ２７、システムコントローラ２８を備えている。
【００１３】
読取ヘッド２２はＤＶＤ１５の記録エリアに書き込まれている映像データを読み出し、これを再生部２３に送る。再生部２３では読取ヘッド２２からの映像データに基づき動画データ及び音声データを発生し、これをディスプレイ２９に送る。リモコン２１は、各種キーを備えており、このキーの操作により、対応する操作信号をＤＶＤプレイヤ５のデータ受信部２５に送る。このリモコン２１には通常の再生キー、停止キー、早送りキー、早戻しキー、カーソルキー、電源キーなどの他に、注文キー２１ａ、確定キー２１ｂが設けられている。データ受信部２５は、リモコン２１からのキー操作に対応する信号を受信して、これをシステムコントローラ２８に送る。
【００１４】
システムコントローラ２８は各部を制御して映像を再生する他に、注文データの書き込み制御を行なう。プリント対象コマ特定部２４は、リモコン２１により注文キー２１ａが押されたときに、この押された時のコマ識別データを特定する。このコマ識別データは、注文データ作成部２６に送られる。注文データ作成部２６では注文データ入力画像３０を作成し、これを再生部２３に送る。再生部２３では、注文データ入力画像３０をディスプレイ２９に表示する。
【００１５】
図３は、この注文データ入力画像３０の一例を示している。注文データ入力画像３０は、プリント対象コマ表示エリア３１と、注文データ入力エリア３２と、注文者特定エリア３３とから構成されている。プリント対象コマ表示エリア３１には、コマ識別データ表示欄３１ａと、画像表示欄３１ｂと、コマ位置調整ボタン３１ｃとが表示される。コマ識別データ表示欄３１ａは、コマ識別番号等を表示する。画像表示欄３１ｂは、コマ識別データ表示欄３１ａに表示されたコマ識別番号の画像を表示する。コマ位置調整ボタン３１ｃは、１コマ送り用と数コマ又は数十コマ単位で送る複数コマ送り用とが設けられており、該当するボタンに対応するリモコン２１のキーを操作することで、操作された分だけコマ送りすることができる。このコマ送りにより、コマ送り後の画像とそのコマ識別データとが新たに各欄３１ａ，３１ｂに表示される。
【００１６】
注文データ入力エリア３２には、プリント枚数入力欄３２ａ、プリントサイズ入力欄３２ｂ、プリント方式入力欄３２ｃ、確定またはキャンセル入力欄３２ｄが表示され、それぞれのボタンに対応するリモコンキーを操作することで、プリント枚数、サイズ、方式などを特定することができる他に、入力したデータの確定またはキャンセルが可能になる。
【００１７】
注文者特定エリア３３には予めキー入力された注文者ＩＤ、注文者名、注文者電話番号などの注文者識別データが表示される。この注文者識別データは、ユーザー登録前は個人を特定するための氏名、住所、電話番号等の項目のいずれか、またはこれらを組み合わせたものが用いられ、リモコンから入力される。ユーザー登録後は注文者ＩＤ番号が用いられる。
【００１８】
この注文データ入力画像３０をチェックして注文内容が正しければ、確定キー２１ｂを操作することで、この入力した注文データがリーダライタ２７及びヘッド２７ａを介してＩＣチップ１５ａに書き込まれる。なお、一度入力された注文データは注文データ作成部２６のメモリに記憶されており、次回の注文データ入力では共通データの入力は省略されるようになっている。
【００１９】
図１に示すように、注文受付機７はハンディタイプのリーダライタ４０を備えており、ＤＶＤ１５のＩＣチップ１５ａから注文データを読み取る。また、注文受付機７はデータ通信部４１を備えており、インターネット４３を介して画像サーバ１３に接続可能になっている。画像サーバ１３は、ＤＶＤ製作会社または画像管理機構１２に設けられており、各タイトル毎にオリジナルな高精細画像データを記憶している。この高精細画像データはタイトルＩＤとコマ識別データとにより特定される。なお、高精細画像データは、例えばＪＰＥＧ（Ｊｏｉｎｔ　Ｐｈｏｔｇｒａｐｈｉｃ　Ｅｘｐｅｒｔｓ　　Ｇｒｏｕｐ）圧縮されており、データ転送時間の短縮化が図られている。データ圧縮方式はＪＰＥＧに限定されることなく、他の周知の圧縮方式が用いられる。
【００２０】
プリンタ８は、周知のインクジェット方式カラーデジタルプリンタから構成されている。このプリンタ８は注文データのプリント方式指示がインクジェット方式の場合に選択され、Ａ０〜Ａ４サイズ等の大きなサイズのプリント４５を作成する。このため、プリンタ１８には各種サイズの記録紙がセットされており、サイズ指定に応じて対応する記録紙が選択される。プリンタ９は銀塩方式カラーデジタルプリンタから構成されており、注文データのプリント方式指示が銀塩方式の場合に選択され、デジタルデータに基づき銀塩方式カラー感光材料（カラーペーパー）４６を走査露光して、画像を焼付露光する。
【００２１】
図１に示すように、請求書発行プリンタ１０は注文受付機７のデータに基づき請求書４７をプリントする。また、納品袋印字プリンタ１１は納品袋４８に住所，氏名等を印字する。
【００２２】
次に、本実施形態の作用について説明する。ユーザー４は、ＤＶＤレンタル業者１２にて周知のようなレンタルシステムにより、ＤＶＤ１５をレンタルする。なお、ＤＶＤレンタル業者１２は、上述したように各画像コマを識別するためのコマ識別情報が付加され、情報書込み用ＩＣチップ１５ａが貼付されたＤＶＤと、コマ識別情報及びＩＣチップ１５ａのないＤＶＤとの区別が明確になるように展示する。
【００２３】
ユーザー４はＤＶＤプレイヤ５でＤＶＤ１５を再生し、ディスプレイ２９に表示する。そして、プリントしたいシーンがある場合に、リモコン２１の注文キー２１ａを押す。注文キー２１ａが押されると、プリント対象画像コマ特定部２４は、押された時のコマ識別データを特定し、そのコマ識別データを注文データ作成部２６に送る。注文データ作成部２６では、送られてきたコマ識別データに基づき注文データ入力画像３０を作成し、これを再生部２３に送る。再生部２３では、注文データ入力画像３０をディスプレイ２９に表示する。
【００２４】
注文データ作成部２６のメモリには、図３に示すように予めプリント注文データが設定されているので、ディスプレイ２９に表示された注文データ入力画像３０を確認して、これでよい場合には確定キー２１ｂを押す。注文データを変更する場合には、リモコン２１によりプリント対象コマ表示エリア３１の各欄３１ａ〜３１ｃ、注文データ入力エリア３２の各欄３２ａ〜３２ｄ、注文者特定エリア３３を変更する。画像表示欄３１ｂに表示された画像を確認し、画像を変更したい場合には、コマ位置調整ボタン３１ｃを操作し、画像を変更する。また、プリント枚数入力欄３２ａを操作し、プリント枚数を変更する。さらには、プリントサイズ入力欄３２ｂを操作し、インクジェットプリンタにおけるＡ０サイズ，・・・Ａ４サイズ，Ａ６サイズ等のプリントサイズ、銀塩方式カラーデジタルプリンタにおけるＥサイズ，Ｌサイズ，キャビネサイズ等のプリントサイズを変更する。また、プリント方式入力欄３２ｃを操作し、インクジェットプリンタや銀塩方式カラーデジタルプリンタ等のプリント方式を変更する。そして、確定またはキャンセル入力欄３２ｄを操作し、入力した注文データの確定またはキャンセルを行う。
【００２５】
変更後の注文データ入力画像３０を確認し、これでよい場合には確定キー２１ｂを押す。確定キー２１ｂが押されると、リーダライタ２７により、ＩＣチップ１５ａに、プリント対象画像コマのコマ識別データとプリント注文データとが書込まれる。なお、ＤＶＤプレイヤ５の操作部に注文キーと確定キーを設けてもよい。図４は、この時の動作の流れを示すフローチャートである。
【００２６】
ユーザー２１はプリント対象画像コマのコマ識別データとプリント注文データとが書込まれたＤＶＤ１５をＤＶＤレンタル業者６に返却する。この際、プリント対象画像コマのコマ識別データ、注文データ、ユーザーデータ等は、ＩＣチップ１５ａに書込み済みであり、プリント注文ありとＤＶＤレンタル業者６に告げることにより、素早く、確実にＤＶＤレンタル業者６にプリント注文指示を行うことができる。
【００２７】
ＤＶＤレンタル業者６は、注文受付機７のリーダライタ４０により、ＩＣチップ１５ａに書込まれたコマ識別データと注文データとを読み取り、その読み取ったコマ識別データと注文データとに基づき、小サイズプリントの場合には、ＤＶＤ１５から該当する画像データを読み取り、大サイズプリントの場合には、インターネット４３を介して画像サーバ１３を検索して、該当するオリジナルな高精細画像データを読み取る。
【００２８】
次に、読み取った画像データまたはオリジナル画像データと注文データとに基づき、プリント方式入力欄３２ｃでインクジェットプリンタ指定の場合には、プリンタ８にて、プリントサイズ入力欄３２ｂで指定されたプリントサイズの記録紙を選択し、プリント枚数入力欄３２ａで指定されたプリント枚数のプリントを行う。また、プリント方式入力欄３２ｃで銀塩方式カラーデジタルプリンタ指定の場合にも、同様にして指定されたプリントサイズとプリント枚数にしたがって、プリントを行う。図５は、この時の動作の流れを示すフローチャートである。これにより、プリントサイズの大小に関わらず、高品質なプリントを得ることができる。
【００２９】
プリントと並行して又はプリントの前後に、請求書及び納品袋のプリント処理が行われる。請求書発行処理では、注文受付機７は、請求書発行プリンタ１０により、請求料金の明細と受付番号，ユーザーＩＤ番号，及びこれら番号のバーコードとを所定のフォーマットでプリントして、請求書４７を発行する。同じように、注文受付機７は、納品袋印字プリンタ１１により、ユーザーの郵便番号，住所，氏名，電話番号，納品種別コード等と受付番号，ユーザーＩＤ番号，及びこれら番号のバーコードとを納品袋４８にプリントする。これら郵便番号や住所氏名等は注文データのユーザーＩＤ番号に基づき特定される。
【００３０】
なお、上記実施形態では、気に入ったシーンで注文キーを操作して、その都度注文モードに入るようにしたが、この他に、再生中には単に注文キーの入力のみを受け付け、このときのコマ識別データを記憶しておくようにしてもよい。そして、後にモード指定により注文モードに入り、この注文モードで、予め注文キーで特定した画像をコマ識別データに基づき特定し、これらの画像を順次にまたは一括して表示し注文データを入力してもよい。
【００３１】
また、上記実施形態ではＩＣチップに注文データを書き込むようにしたが、ＤＶＤにＲＡＭエリアを設定し、このＲＡＭエリアに注文データを書き込むようにしてもよい。また、注文データの他に、レンタルデータ等のその他のデータを書き込んでもよい。例えば、ＤＶＤレンタル業者は、ユーザー各々のレンタル実績による趣向に応じて、広告や最新映画の予告等の画像をＤＶＤに書き込んでレンタルする。
【００３２】
さらに、上記実施形態では、ＤＶＤレンタル業者からレンタルしたＤＶＤを用いて説明したが、ユーザーが購入したＤＶＤを用いて、プリント対象画像コマのコマ識別情報とプリント注文情報とが書込まれたＤＶＤをプリント業者に持ち込み、そのプリント業者でプリントを行ってもよい。
【００３３】
また、上記実施形態では、記録メディア及び再生装置として、ＤＶＤとＤＶＤプレイヤとから構成したが、ＣＤ，ＭＯ，レーザーディスク等の記録メディアとこれらの記録メディアの再生装置とを用いた構成にしてもよい。例えば、音楽ＣＤを用いた場合で、ユーザーがその音楽ＣＤのジャケットの画像をプリントしたい場合には、ＣＤにプリント対象画像データと注文データとを書込み、プリント受注者はそのデータに基づき、プリント対象画像を画像サーバから読み取り、プリントを行う。また、アナログ方式のビデオカセットに本発明を適用してもよい。この場合には、所定時間毎にシーン識別マークを入力しておき、このシーン識別マークからの経過時間によって対象コマを特定するとよい。
【００３４】
さらに、プリント注文情報にプリント編集指示データを加えてもよく、この場合には、ユーザーは画像データにコメント文データを付加しておき、これをプリントに印字してもよい。印字面はプリントの表面でも裏面でもよく、更にはコメント文をプリント対象画像に嵌め込み合成してもよい。
【００３５】
また、上記実施形態では、１つのＤＶＤレンタル業者とＤＶＤ販売業者との間で画像データの読み取りを行っているが、この他に、ＤＶＤレンタル業者が系列化されている場合には、ＤＶＤ販売業者に近いＤＶＤレンタル業者が中心となってＤＶＤ販売業者との間で画像データの読み取りを行い、この画像データをユーザーの最寄りのＤＶＤレンタル業者にデータ転送するようにしてもよい。
【００３６】
さらに、上記実施形態では、ＤＶＤレンタル業者が、注文データに応じて、ＤＶＤから画像データを読み取るか、画像サーバからオリジナルな高精細画像データを読み取るかの選択を行う構成にしたが、プリンタをインターネットを介して画像サーバに接続し、プリンタが、注文データに応じて、ＤＶＤから画像データを読み取るか、画像サーバから高精細画像データを読み取るかの選択を行うようにしてもよい。さらに、ＤＶＤレンタル業者とＤＶＤ制作業者との間での通信の際、ＤＶＤ制作業者が有する著作権等の情報により、プリントの可否や、プリント可の場合には値段を計算する構成にしてもよい。また、プリント実績を著作権管理機関に伝送し、画像の不正使用防止のため、著作権管理機関との通信がない場合には、プリントを行うことができない構成にしてもよい。
【００３７】
また、上記実施形態では、各画像コマに対応させて、各画像コマを識別するためのコマ識別データが付加されたＤＶＤをＤＶＤプレイヤで再生して、ディスプレイに画像を表示し、プリント対象コマを特定してプリント注文データにしたがってプリントする構成にしたが、表示された画像に映る商品、例えば出演者の着ている服やアクセサリ等に、個々に対応した商品識別データをＤＶＤに付加してもよい。ユーザーが商品を購入したい場合には、購入対象商品の商品識別データに付加されている商品の値段・サイズ・色のバリエーション等の商品詳細データに基づき、購入対象商品を特定し、購入対象商品の商品識別データと注文データとをＤＶＤのＩＣチップに書込む。ＤＶＤレンタル業者は読み取った商品識別データと注文データとに基づき、その商品を注文・購入する。図６は、この時の動作の流れを示すフローチャートである。なお、商品識別データとして、購入可能店舗等を表示してもよく、この場合には、ユーザーが購入可能店舗に行き、自分で商品を購入することができる。
【００３８】
【発明の効果】
本発明によれば、映像中の画像コマを特定するためのコマ識別情報と、このコマ識別情報で特定された画像コマに関する注文情報とが書き込み可能な記憶媒体を有し、前記映像が記録されている映像媒体を再生し、この再生中に、前記映像中の画像コマをコマ識別情報で特定し、このコマ識別情報で特定された画像コマに関する注文情報を入力し、前記特定したコマ識別情報及び前記注文情報を前記記憶媒体に書き込むようにしたから、インターネット通信設備を用いることなく、前記映像媒体の受け渡しによりプリント注文指示をすることができる。
【００３９】
また、映像再生装置は、映像媒体を再生する手段と、この再生中に、映像中の画像コマをコマ識別情報で特定し、このコマ識別情報で特定された画像コマに関する注文情報を入力する手段と、特定したコマ識別情報及び注文情報を記憶媒体に書き込む手段とを有することから、容易にプリント対象画像コマのコマ識別情報とプリント注文情報とを記憶媒体に書込むことができる。
【００４０】
さらに、注文受付装置は、映像媒体から注文情報を読み取る手段を備え、プリントサイズに応じて、小サイズプリントの注文の場合には、映像媒体の画像データからプリントを行い、大サイズプリントの注文の場合には、映像媒体の画像サーバから高解像度なオリジナル画像データを得て、このオリジナル画像データからプリントを行うことから、プリントサイズの大小に関わらず、高い画像品質のプリントを得ることができる。また、ポスター、カレンダー、壁紙等の大サイズプリントが簡単に得られるようになる。
【００４１】
また、家庭用のビデオプリンタ等を用いることなく、プリント受注者の業務用プリンタを用いてプリントするため、高解像度なオリジナル画像データを用いる効果と相まって、より一層高品質で大サイズのプリントを得ることができる。また、プリント注文情報は、プリントサイズ、プリント枚数、プリント方式を指示する注文データと、注文者を識別するための注文者識別データとを有することにより、プリント注文指示を素早く、確実に行うことができる。
【図面の簡単な説明】
【図１】本発明の画像プリントシステムを示す概略図である。
【図２】ＤＶＤプレイヤの概略を示すブロック図である。
【図３】注文データ入力画像の入力設定図である。
【図４】ユーザー側におけるプリント注文データの書込み処理手順を示すフローチャートである。
【図５】ＤＶＤレンタル業者側における処理手順を示すフローチャートである。
【図６】ユーザー側における商品注文データの書込み処理手順を示すフローチャートである。
【符号の説明】
２　画像プリントシステム
４　ユーザー（発注者）
５　ＤＶＤプレイヤ
６　ＤＶＤレンタル業者（プリント受注者）
７　注文受付機
８、９　プリンタ
１２　ＤＶＤ製作業者または画像管理機構
１３　画像サーバ
１５　ＤＶＤ
１５ａ　ＩＣチップ
２１　リモコン
２１ａ　注文キー
２１ｂ　確定キー
２２　読取ヘッド
２３　再生部
２４　プリント対象コマ特定部
２５　データ受信部
２６　注文データ作成部
２７　リーダライタ
２８　システムコントローラ
２９　ディスプレイ
３０　注文データ入力画像
４０　リーダライタ
【図１】
2004007067.tif 000003
【図２】
2004007067.tif 000004
【図３】
2004007067.tif 000005
【図４】
2004007067.tif 000006
【図５】
2004007067.tif 000007
【図６】
2004007067.tif 000008